(57)【要約】      （修正有）【課題】通信中の端末の台数に応じてコンテンツを出力できる情報出力装置、情報出力方法およびプログラムを提供する。【解決手段】情報出力装置１００の無線通信部１１０は、複数の端末２００と通信する。出力制御部１４３は、通信中の端末２００の台数や視聴者情報に基づいて、出力部１３０に出力するコンテンツを決定する。【選択図】図２
2016178400.tif 000002
【特許請求の範囲】
【請求項１】
端末と通信する通信手段と、
前記通信手段が通信中の端末の台数に基づいて、出力手段に出力するコンテンツを決定する出力制御手段と、
を備える情報出力装置。
【請求項２】
前記通信手段が通信中の端末の台数を前記出力手段に表示されたコンテンツを視聴している視聴者人数として特定する特定手段と、
を備え、
前記出力制御手段は、前記特定手段が特定した視聴者人数に基づいて、コンテンツを前記出力手段に出力することを特徴とする請求項１に記載の情報出力装置。
【請求項３】
前記特定手段は、前記通信中の端末の台数が複数の場合、グループとして視聴者を特定し、
前記出力制御手段は、前記グループに基づいて前記出力手段に出力するコンテンツを決定することを特徴とする請求項２に記載の情報出力装置。
【請求項４】
前記視聴者人数に対応したコンテンツを記憶する記憶手段をさらに備え、
前記出力制御手段は、通信中の視聴者人数に対応したコンテンツを前記記憶手段から取得し、取得したコンテンツを前記出力手段に出力する、
ことを特徴とする請求項２または３に記載の情報出力装置。
【請求項５】
前記記憶手段は、前記視聴者人数および視聴者の属性を示す視聴者情報に対応したコンテンツを記憶し、
視聴者の属性を示す視聴者情報を視聴者端末から取得する取得手段をさらに備え、
前記出力制御手段は、前記視聴者人数に加えて取得した前記視聴者情報に対応したコンテンツを前記記憶手段から取得し、該取得したコンテンツを前記出力手段に出力する、
ことを特徴とする請求項４に記載の情報出力装置。
【請求項６】
前記出力制御手段は、視聴者人数又は視聴者情報に基づかないコンテンツを前記出力手段に出力中、前記特定手段が視聴者人数を特定し前記取得手段が視聴者情報を取得すると、該視聴者人数と該視聴者情報に対応したコンテンツを前記記憶手段から取得し、前記視聴者人数と視聴者情報に基づかないコンテンツを出力中の前記出力手段に取得した前記コンテンツを追加出力する、
ことを特徴とする請求項５に記載の情報出力装置。
【請求項７】
前記出力制御手段は、前記特定手段が特定した視聴者人数に基づいて、前記追加出力するコンテンツの出力位置を制御する、
ことを特徴とする請求項６に記載の情報出力装置。
【請求項８】
端末と通信する通信ステップと、
前記通信ステップにおける通信中の端末の台数に基づいて、出力手段に出力するコンテンツを決定するコンテンツ決定ステップと、
を含む情報出力方法。
【請求項９】
コンピュータを
端末と通信する通信手段、
前記通信手段が通信中の端末の台数に基づいて、出力手段に出力するコンテンツを決定する出力制御手段、
として機能させるためのプログラム。
【発明の詳細な説明】
【技術分野】
【０００１】
本発明は、情報出力装置、情報出力方法およびプログラムに関する。
【背景技術】
【０００２】
デジタルサイネージ技法の発達に伴い、視聴者に効果的なインパクトを与えることができる情報出力装置の開発が進められている。
【０００３】
例えば、特許文献１は、人型のスクリーンに映像を表示することにより、３次元効果を有する表示方法を開示している。
【先行技術文献】
【特許文献】
【０００４】
【特許文献１】特開２０１１−１５０２２１号公報
【発明の概要】
【発明が解決しようとする課題】
【０００５】
しかし、特許文献１が開示する技術は、予め決められた内容の広告用コンテンツを表示するだけで、その場にいる視聴者のグループ人数や趣味などの属性に対応して表示するコンテンツを変えることはできない。そのため、表示している広告用コンテンツが視聴者にとって興味が無いコンテンツであっても、視聴者にあわせて広告用コンテンツを変更することができないという問題がある。
【０００６】
本発明は、以上の問題に鑑みてなされたものであり、通信中の端末の台数に応じてコンテンツを出力可能な情報出力装置、情報出力方法およびプログラムを提供することを目的とする。
【課題を解決するための手段】
【０００７】
上記目的を達成するために、本発明に係る情報出力装置は、
端末と通信する通信手段と、
前記通信手段が通信中の端末の台数に基づいて、出力手段に出力するコンテンツを決定する出力制御手段と、
を備えることを特徴とする。
【発明の効果】
【０００８】
本発明によれば、通信中の端末の台数に応じたコンテンツを出力できる情報出力装置、情報出力方法およびプログラムを提供することができる。
【図面の簡単な説明】
【０００９】
【図１】実施形態１に係る情報出力装置を使用する表示システムの構成図である。
【図２】実施形態１に係る情報出力装置の構成を示すブロック図である。
【図３】コンテンツＩＤと視聴者の属性とを対応づけて構成したデータベースの例である。
【図４】実施形態１に係る情報出力装置の動作を説明するための図である。（ａ）は視聴者人数が１人、（ｂ）は視聴者人数が２人、（ｃ）は視聴者人数が３人、（ｄ）は視聴者人数が６人以上の場合を説明するための図である。
【図５】実施形態１に係る情報出力装置の動作を説明するためのフローチャートである。
【図６】実施形態１に係る情報出力装置の出力方法について説明するための図である。
【図７】実施形態２に係る情報出力装置の動作を説明するための図である。（ａ）は来店登録者が０の場合、（ｂ）は来店登録者が１人の場合、（ｃ）は来店登録者のグループ人数が２人の場合、（ｄ）は来店登録者のグループ人数が３人以上の場合を説明する図である。
【図８】実施形態２に係る情報出力装置の構成図である。
【図９】コンテンツＩＤとグループ登録名とを対応づけて構成したデータベースの例である。
【図１０】実施形態２に係る情報出力装置の動作を説明するためのフローチャートである。
【発明を実施するための形態】
【００１０】
以下、本発明の実施形態に係る情報出力装置、情報出力方法およびプログラムについて、図面を参照しながら説明する。なお、図面中同一又は相当する部分には同一符号を付す。
【００１１】
（実施形態１）
実施形態１に係る情報出力装置と情報出力方法について、図１から図６を参照して説明する。
最初に、実施形態１に係る情報出力装置を適用する表示システムの構成について、図１を参照して説明する。実施形態１では、情報出力装置に表示するコンテンツが旅行会社の広告用コンテンツである場合について説明する。実施形態１に係る表示システムは、広告用コンテンツを表示する情報出力装置１００と、その情報出力装置１００と通信を行う複数の視聴者端末２００とから構成される。
【００１２】
視聴者端末２００には、予め本表示システム用のアプリケーションソフトが搭載されている。情報出力装置１００に表示されている広告用コンテンツに興味を抱き、さらに詳細情報を得たいと希望した視聴者は、視聴者端末２００に登載されている表示システム用のアプリケーションソフトを立ち上げる。そして、情報出力装置１００に対して追加情報を要求するために送信操作を行う（以下、この送信操作を行うことをアクセスするという）。視聴者端末２００から情報出力装置１００に対して送信される電波には、性別、年齢、趣味などの視聴者の属性を示す視聴者情報が含まれる。情報出力装置１００は、受信した視聴者情報に基づいてスクリーンに追加表示する広告用コンテンツを選択し、選択した広告用コンテンツを追加表示する。これにより、情報出力装置１００にアクセスした視聴者のそれぞれに興味がありそうな広告用コンテンツがスクリーンに追加表示される。以上が、本表示システムの概要である。
【００１３】
次に、実施形態に係る情報出力装置１００の構成について、図２を参照して説明する。情報出力装置１００は、情報出力装置１００に表示されたコンテンツを視聴する視聴者の人数、属性（性別、年齢、趣味など）に応じて表示するコンテンツを変更・追加する機能を有し、無線通信部１１０、記憶部１２０、出力部１３０（第１の出力部１３０ａ、第２の出力部１３０ｂ）、制御部１４０（特定部１４１、取得部１４２、出力制御部１４３）、アンテナ部１５０、から構成される。
【００１４】
無線通信部１１０は、無線ＬＡＮ（Local Area Network）、Ｂｌｕｅｔｏｏｔｈ（登録商標）、ＺｉｇＢｅｅ（登録商標）、ＲＦ−ＩＤ（Radio Frequency Identifier）、ＵＷＢ（Ultra Wide Band）などの無線通信モジュールから構成される。無線通信部１１０は、アンテナ部１５０を介して、視聴者端末２００から送信された視聴者情報を受信する。視聴者情報には、視聴者と視聴者が興味を持ちそうな商品とを紐付ける視聴者の属性（性別、年齢、趣味、職業など）情報が含まれる。
【００１５】
記憶部１２０は、ハードディスク装置等から構成され、出力部１３０に表示する広告用コンテンツを記憶する。広告用コンテンツは、視聴者の属性に紐付けられたコンテンツと視聴者の属性と紐付けられていないコンテンツとがある。視聴者の属性に紐付けられていない広告用コンテンツとは、会社のイメージコンテンツやその季節の推奨ツアーなどのコンテンツなどである。視聴者の属性に紐付けられたコンテンツとは、視聴者の趣味・趣向にあわせた詳細な広告用コンテンツである。例えば、グルメツアー、ゴルフツアー、温泉ツアーなどの広告用コンテンツである。また、記憶部１２０は、本表示システムを制御する表示制御プログラムを記憶する。
【００１６】
出力部１３０は、液晶パネル、プロジェクタ、スクリーン等で構成される。また、出力部１３０は第１の出力部１３０ａと第２の出力部１３０ｂとを備える。出力部１３０は、後述する出力制御部１４３が選択した広告用コンテンツを出力制御部１４３の制御を受けて表示する。
【００１７】
制御部１４０は、視聴者情報に基づいて出力部１３０に表示するコンテンツを選択し、視聴者人数に基づいて選択したコンテンツを表示する表示位置を制御する。この表示制御を行うために、制御部１４０は、機能的に、特定部１４１、取得部１４２、出力制御部１４３、を備える。
【００１８】
特定部１４１は、無線通信部１１０にアクセスしている視聴者端末２００の台数を測定し、その台数を情報出力装置１００に表示されているコンテンツを視聴している視聴者人数として特定する。具体的には、出力部１３０に表示された広告用コンテンツに関心を抱いた視聴者が、詳細情報等を取得するために情報出力装置１００にアクセスする。このアクセスした視聴者端末２００の台数をカウントし、カウントした台数を視聴者人数として特定する。
【００１９】
取得部１４２は、視聴者端末２００から送信された性別、年齢、趣味等の視聴者の属性を示す視聴者情報を取得する。取得部１４２は、取得した視聴者情報を出力制御部１４３に供給するとともに、記憶部１２０に記憶する。
【００２０】
出力制御部１４３は、視聴者情報に基づいて追加表示するコンテンツを選択し、視聴者人数に基づいて追加表示するコンテンツの表示位置を制御する。まず、出力制御部１４３は、取得した視聴者情報に基づいて、視聴者情報に含まれている属性と紐付けられた広告用コンテンツを記憶部１２０から選択する。視聴者の属性と広告用コンテンツとを紐付けたデータベースは予め準備されているものとする。例えば、図３に示すように、広告用コンテンツのＩＤ番号と視聴者の属性（性別、年齢、趣味、等）とを紐付けたデータベースである。出力制御部１４３は、取得部１４２が取得した視聴者情報とコンテンツＩＤに付与されている属性を照合し、一致する属性が多い広告用コンテンツを選択する。例えば、視聴者情報が、（男性、２０代、サッカー）であった場合には、出力制御部１４３は、記憶部１２０からコンテンツＩＤ＝１００１の広告用コンテンツ（サッカー観戦ツアーなど）を選択する。視聴者情報が、（男性、６０代、ゴルフ）であった場合には、出力制御部１４３は、記憶部１２０からコンテンツＩＤ＝１００２の広告用コンテンツ（ゴルフを組み込んだツアーなど）を選択する。
【００２１】
また、出力制御部１４３は、特定部１４１が特定した視聴者人数に応じて、出力部１３０に追加情報を表示する小窓の表示位置を制御する。小窓とは、すでにコンテンツが表示されている出力部１３０の一部に追加情報を追加表示する部分をいう。具体的には、図４に示すように、情報出力装置１００にアクセスしている視聴者人数が１人の場合には、図４（ａ）の（１）の位置に視聴者端末１から送られた視聴者情報に紐付けられた追加情報を表示する。視聴者端末１から送信された視聴者情報が、（男性、６０代、ゴルフ）であった場合には、出力制御部１４３は、この視聴者情報の内容と属性が一致するコンテンツＩＤ＝１００２（ゴルフツアーの広告用コンテンツなど）を、出力部１３０の図４の（１）の位置に追加表示する。さらに、視聴者端末２が情報出力装置１００にアクセスした場合には、図４（ｂ）の（２）の位置に視聴者端末２から送られた視聴者情報に紐付けられた追加情報を追加表示する。さらに、視聴者端末３が情報出力装置１００にアクセスした場合には、図４（ｃ）の（３）の位置に視聴者端末３から送られた視聴者情報に紐付けられた追加情報を追加表示する。
【００２２】
出力制御部１４３は、情報出力装置１００にアクセスしている視聴者人数が６人以上になった場合には、５人の視聴者情報に対応する５つの追加情報を図４（ｄ）に示す第１の出力部１３０ａに表示するように出力制御する。そして、出力制御部１４３は、メインの広告用コンテンツが追加情報の表示によって隠されることを防止するために、メインの広告用コンテンツの表示場所を第２の出力部１３０ｂに切り替える。第２の出力部１３０ｂは、第１の出力部１３０ａと同様のスクリーンを追加してもよいし、壁や天井などに表示場所を変更してもよい。なお、視聴者人数に基づいて追加表示する表示位置を決めてから、視聴者情報に基づいて追加表示するコンテンツを選択し、選択したコンテンツを予め決めた表示位置に追加表示してもよい。
【００２３】
次に、以上の構成を有する情報出力装置１００が視聴者情報と視聴者人数に基づいて広告用コンテンツを追加表示する広告表示処理について、図５に示すフローチャートを参照して説明する。
【００２４】
情報出力装置１００を利用して広告用コンテンツを表示する管理者は、予め表示する広告用コンテンツを記憶部１２０に格納しておく。広告用コンテンツには、視聴者の属性と紐付けられたコンテンツと紐付けられていないコンテンツがある。また、記憶部１２０に格納しておく追加表示広告のデータベースは、視聴者の属性と追加表示する広告用コンテンツのコンテンツＩＤとを紐付けた図３に示すような構成にしておく。情報出力装置１００の管理者が、記憶部１２０から表示制御プログラムを読み出して表示制御プログラムを起動させることにより、図５に示す広告表示処理は開始する。
【００２５】
管理者は、記憶部１２０に格納されている広告用コンテンツの中から出力部１３０ａに表示するメインの広告用コンテンツを選択し、そのコンテンツを指定する情報を入力する。このメインの広告用コンテンツは、視聴者情報とは紐付けられていない広告用コンテンツである。例えば、会社のイメージコンテンツやその季節の推奨ツアーなどの広告用コンテンツである。出力制御部１４３は、記憶部１２０から該当するコンテンツを取得して、出力部１３０ａに表示する（ステップＳ１１）。
【００２６】
表示制御プログラムがスタートすると、特定部１４１は、視聴者端末２００から情報出力装置１００にアクセス中の視聴者端末２００が存在するか否かを監視する（ステップＳ１２）。視聴者情報からアクセスがない場合（ステップＳ１２：Ｎｏ）、広告表示終了指示があるまで（ステップＳ２０：Ｎｏ）、出力部１３０ａにメインの広告を継続して表示する。
【００２７】
一方、視聴者端末からのアクセスを確認すると（ステップＳ１２：Ｙｅｓ）、特定部１４１は、視聴者情報を送信している視聴者端末２００の台数を数えて、その台数を情報出力装置１００に表示されているコンテンツを視聴している視聴者人数として特定する（ステップＳ１３）。そして、特定した視聴者人数を出力制御部１４３に通知する。また、取得部１４２は視聴者端末２００から送信された視聴者情報を取得する（ステップＳ１４）。取得部１４２は、取得した視聴者情報を出力制御部１４３に供給するとともに、記憶部１２０に記憶する。
【００２８】
視聴者人数の通知を受けた出力制御部１４３は、視聴者人数が規定の人数（本実施形態では６人）以上であるかを判別する（ステップＳ１５）。
【００２９】
情報出力装置１００にアクセスしている視聴者人数が５人以下である場合（ステップＳ１５：Ｎｏ）、出力制御部１４３は、その視聴者の視聴者情報のそれぞれに対応する広告用コンテンツを記憶部１２０から取得する（ステップＳ１６）。図３に示す例では、視聴者端末１から送信された視聴者情報が、（男性、６０代、ゴルフ）であれば、出力制御部１４３はコンテンツＩＤ＝１００２（ゴルフツアーなど）の広告用コンテンツを記憶部１２０から取得する。また、視聴者端末２から送信された視聴者情報が、（女性、４０代、グルメ）であれば、出力制御部１４３はコンテンツＩＤ＝１１０２（グルメツアーなど）の広告用コンテンツを記憶部１２０から取得する。
【００３０】
また、出力制御部１４３は、視聴者人数に応じて、出力部１３０ａの一部に追加表示用の小窓を設け、視聴者情報に対応する広告用コンテンツを追加表示する（ステップＳ１７）。具体的には、情報出力装置１００にアクセスしている視聴者端末が視聴者端末１のみである場合は、図４（ａ）に（１）で示す部分を小窓の位置とする。そして、コンテンツＩＤ＝１００２の広告用コンテンツを小窓（１）の位置に追加表示する。さらに、視聴者端末２からアクセスがあった場合は、図４（ｂ）に（２）で示す小窓を追加して、小窓（２）の位置にコンテンツＩＤ＝１１０２の広告用コンテンツを追加表示する。このように、出力制御部１４３は、多くの広告用コンテンツの中から、情報出力装置１００にアクセスした視聴者の属性に紐付けられた広告用コンテンツを選んで追加表示する。追加表示したコンテンツの表示が終了するとステップＳ２０に移行する。
【００３１】
一方、特定した視聴者人数が６人以上の場合は（ステップＳ１５：Ｙｅｓ）、出力制御部１４３は、５人分の視聴者情報に対応する広告用コンテンツを記憶部１２０から取得する（ステップＳ１８）。そして、出力制御部１４３は、図４（ｄ）に示すように、第１の出力部１３０ａに５つの小窓を設け、５人分の視聴者情報のそれぞれに対応する広告用コンテンツを表示する。そして、メインの広告を第２の出力部１３０ｂに表示する（ステップＳ１９）。追加表示したコンテンツの表示が終了するとステップＳ２０に移行する。
【００３２】
以上に説明した広告用コンテンツの表示を行いながら、出力制御部１４３は広告表示終了指示があるか否かを監視する（ステップＳ２０）。広告表示終了指示が無い場合は（ステップＳ２０：Ｎｏ）、ステップＳ１１に戻って広告表示を継続する。一方、広告表示終了指示があった場合は（ステップＳ２０：Ｙｅｓ）、広告表示処理を終了する。以上で、情報出力装置１００の広告表示処理の説明を終わる。
【００３３】
以上に説明したよう実施形態１に係る情報出力装置１００は、視聴者情報に基づいて広告用コンテンツを追加表示する。これにより、視聴者の年齢や趣味等の属性に応じた広告用コンテンツを追加表示することができるので、情報出力装置１００にアクセスした視聴者にとって興味がありそうなコンテンツを表示することができる。また、アクセスしている視聴者人数に基づいて追加表示するコンテンツの表示位置を制御する。これにより、追加表示するコンテンツを見やすい位置に表示することができる。
【００３４】
なお、以上の実施形態１では、小窓の数が６個以上になるとメインの広告が見え辛くならないように、６人目以後の視聴者情報に対応する小窓表示は行わなかった。しかし、表示方法はこれに限られることはない。たとえば、判別基準とする人数を変えてもよい。また、小窓の大きさを小さくして、小窓の数を増やすこともできる。また、出力部１３０の数を追加することもできる。例えば、図６に例示するように、メインの広告を第１の出力部１３０ａに表示し、小窓の（１）から（５）までを第２の出力部１３０ｂに表示し、６個目以降は第３の出力部を追加して表示することもできる。出力場所として壁などを利用する場合は、小窓を表示するエリアを広げることにより、多くの視聴者に対応した小窓を追加表示することができる。
【００３５】
（実施形態２）
実施形態１では、情報出力装置１００にアクセスした視聴者人数に基づいて小窓を設け、視聴者情報と紐付けられた追加情報を追加して表示した。実施形態２では、情報出力装置１０１をレストランなどの店先に設置されているサイネージ装置として使用する場合について説明する。具体的には、来店者が情報出力装置１０１にアクセスすることにより来店登録を行い、来店登録者のグループ人数に対応した推奨メニューを表示する場合について説明する。
【００３６】
最初に、実施形態２に係る情報出力装置１０１を適用する表示システムの構成について、図７を参照して説明する。実施形態２に係る情報出力装置１０１は、来店登録者がいない場合、図７（ａ）に示すように、予め設定されている広告用コンテンツＡを出力部１３０に表示する。この広告用コンテンツＡは、グループ人数と紐付けはされていないコンテンツである。このコンテンツＡが表示されている最中に視聴者端末１からアクセスがあると、図７（ｂ）に示すように、出力部１３０に表示する広告用コンテンツを１人向けの広告用コンテンツＢに変更する。視聴者端末１に加えて視聴者端末２からアクセスがありグループ人数が２人になると、図７（ｃ）に示すように、２人向けの広告用コンテンツＣを出力部１３０に表示する。以下同様にして、アクセスしているグループ人数に対応する広告用コンテンツに変更して表示する。
【００３７】
次に、実施形態２に係る情報出力装置１０１の構成について、実施形態１と異なる部分を中心に図８を参照して説明する。視聴者が、視聴者端末２００から来店登録のアクセスを行うと、特定部１４１は、アクセスしている視聴者端末２００の台数を測定し、その台数を情報出力装置１０１に表示されているコンテンツを視聴している視聴者人数（来店登録者数）として特定する。
【００３８】
取得部１４２は、受信した視聴者情報（グループ名、登録名、性別、年齢など）を記憶部１２０に登録し、ユーザＩＤを付与する。この時、視聴者情報にグループ登録名が含まれている場合は、図９に例示するようにグループ登録名も登録する。
【００３９】
グループ人数特定部１４４は、所定の時間内（例えば、３分以内）に来店登録され、かつ、同じグループに属している来店登録者の数をグループ人数として特定する。
【００４０】
具体例について図９を用いて説明する。グループ人数特定部１４４は、３分以内に来店登録されたユーザＩＤに対応する来店登録の欄に「○」印を付ける。図９に示す例では、３分以内に来店登録された人数は３人である。グループ人数特定部１４４は、その３人が全てグループ登録名「Ａ」に属しているので、来店登録者のグループ人数が３人であると特定する。そして、特定したグループ人数を出力制御部１４３に通知する。
【００４１】
グループ人数が３人であるという情報を取得した出力制御部１４３は、記憶部から３人向けのお勧めメニューや３人向けのクーポンサービス情報等を取得し、出力部１３０に表示する制御を行う。さらに、出力制御部１４３は、取得部１４２から供給された視聴者情報（性別、年齢など）を参照し、視聴者情報と紐付けられたメニュー等を優先的に表示する。例えば、来店者が女性のグループであった場合は、カロリーを制限したメニューやスイーツ類のメニューを多くのメニューの中から抽出して他のメニューよりも優先的に表示する。
【００４２】
次に、実施形態２に係る情報出力装置１０１がコンテンツを選択する処理について、図１０に示すフローチャートを用いて説明する。グループ人数と視聴者情報に紐付けられた広告用コンテンツ（メニューなど）は予め記憶部１２０に記憶されている。情報出力装置１０１の管理者が、本装置のアプリケーションソフトを起動し、来店者が視聴者端末２００から情報出力装置１０１に来店登録を行うことにより、図１０に示すコンテンツの選択処理が始まる。
【００４３】
特定部１４１は、情報出力装置１０１に来店登録を行った来店登録者数を特定する（ステップＳ２１）。特定した来店登録者数が１人である場合（ステップＳ２２：Ｎｏ）、出力制御部１４３は１人向けの広告用コンテンツを記憶部１２０から取得し、出力部１３０に表示する（ステップＳ２３）。選択した広告用コンテンツを所定の時間（例えば１分間）表示すると、ステップＳ２６に移行してレストランの推奨情報などの予め設定されている広告用コンテンツを出力部１３０に表示する（ステップＳ２６）。レストランの推奨情報は、グループ人数とは紐付けされていない、１人用から多人数用（家族向けや宴会用など）のメニューが含まれている。
【００４４】
一方、特定した来店登録者数が２人以上である場合は（ステップＳ２２：Ｙｅｓ）、グループ人数特定部１４４は、取得した複数のユーザＩＤがグループ登録されているか否かを判別する（ステップＳ２４）。同一グループに登録されていた場合は（ステップＳ２４：Ｙｅｓ）、グループ人数特定部１４４は出力制御部１４３にグループ人数を通知する。グループ人数の通知を受けた出力制御部１４３は、グループ人数に対応する広告用コンテンツを記憶部１２０から取得し、出力部１３０に表示する（ステップＳ２５）。例えば、グループ人数が３人である場合には、３人向けのお勧めメニューや３人向けのクーポン情報などを出力部１３０に表示する。選択した広告用コンテンツの表示が完了すると、ステップＳ２６に移行してレストランの推奨情報などの予め設定されている広告用コンテンツを出力部１３０に表示する（ステップＳ２６）。
【００４５】
一方、ユーザＩＤがグループ登録されていない場合は（ステップＳ２４：Ｎｏ）、ステップＳ２３に移行する。以上の一連の選択処理で、広告用コンテンツの選択処理は終了する。以上で、実施形態２に係る情報出力装置１０１の動作説明を終わる。
【００４６】
以上に説明したよう実施形態２に係る情報出力装置１０１は、グループ人数に基づいて広告用コンテンツを変更して表示する。これにより、来店者のグループ人数に応じたコンテンツ（メニューやクーポン等のサービス情報など）を表示することができるので、来店者により興味がありそうなコンテンツを表示することができる。
【００４７】
なお、以上の実施形態１及び実施形態２の説明では、情報出力装置に広告用コンテンツを表示する場合について説明したが、出力部１３０にゲーム用コンテンツを表示してもよい。例えば、表示されたゲームを行って、来店登録者が、ゲームに勝った場合にサービス券を出力する構成とする。この機能を実現するために、情報出力装置１００（もしくは１０１）内にゲーム用コンテンツの処理部を設け、ゲーム用コンテンツ処理部からゲームを誘導する指示を出力部１３０に表示する。そして、タッチパネル等で構成された出力部１３０に来店登録者がタッチ入力することにより、ゲームを進める構成とする。さらに、情報出力装置１００（もしくは１０１）にサービス券を出力する出力装置（プリンター）を設ける。そして、ゲームの実行結果によって、サービス券等を出力する。別の方法としては、ゲーム用コンテンツ処理部からの制御により、無線通信部１１０から視聴者端末２００に対して、サービス券発行用のＵＲＬを記載したメールを配信してもよい。また、ゲーム用コンテンツ処理部は、情報出力装置１００（もしくは１０１）の外部に設けたサーバに格納してもよい。
【００４８】
また、実施形態１と実施形態２の機能を有し、２つの機能を切り替えて使用できる構成としてもよい。
【００４９】
また、「通信中」もしくは「アクセスしている」とは、アプリケーションレイヤで接続されていること、および、一度アクセスした後も通信圏内に視聴者端末が滞在していることを含む場合もある。また、一度アクセスをしてから所定の時間（コンテンツの確認に必要な時間、例えば１分など）経過するまでの時間を「通信中」として使用することもある。
【００５０】
以上、本発明の好ましい実施形態について説明したが、本発明は係る特定の実施形態に限定されるものではなく、本発明には、特許請求の範囲に記載された発明とその均等の範囲が含まれる。以下に、本発明の当初の特許請求の範囲に記載された発明を付記する。
【００５１】
（付記１）
端末と通信する通信手段と、
前記通信手段が通信中の端末の台数に基づいて、出力手段に出力するコンテンツを決定する出力制御手段と、
を備える情報出力装置。
【００５２】
（付記２）
前記通信手段が通信中の端末の台数を前記出力手段に表示されたコンテンツを視聴している視聴者人数として特定する特定手段と、
を備え、
前記出力制御手段は、前記特定手段が特定した視聴者人数に基づいて、コンテンツを前記出力手段に出力することを特徴とする付記１に記載の情報出力装置。
【００５３】
（付記３）
前記特定手段は、前記通信中の端末の台数が複数の場合、グループとして視聴者を特定し、
前記出力制御手段は、前記グループに基づいて前記出力手段に出力するコンテンツを決定することを特徴とする付記２に記載の情報出力装置。
【００５４】
（付記４）
前記視聴者人数に対応したコンテンツを記憶する記憶手段をさらに備え、
前記出力制御手段は、通信中の視聴者人数に対応したコンテンツを前記記憶手段から取得し、取得したコンテンツを前記出力手段に出力する、
ことを特徴とする付記２または３に記載の情報出力装置。
【００５５】
（付記５）
前記記憶手段は、前記視聴者人数および視聴者の属性を示す視聴者情報に対応したコンテンツを記憶し、
視聴者の属性を示す視聴者情報を視聴者端末から取得する取得手段をさらに備え、
前記出力制御手段は、前記視聴者人数に加えて取得した前記視聴者情報に対応したコンテンツを前記記憶手段から取得し、該取得したコンテンツを前記出力手段に出力する、
ことを特徴とする付記４に記載の情報出力装置。
【００５６】
（付記６）
前記出力制御手段は、視聴者人数又は視聴者情報に基づかないコンテンツを前記出力手段に出力中、前記特定手段が視聴者人数を特定し前記取得手段が視聴者情報を取得すると、該視聴者人数と該視聴者情報に対応したコンテンツを前記記憶手段から取得し、前記視聴者人数と視聴者情報に基づかないコンテンツを出力中の前記出力手段に取得した前記コンテンツを追加出力する、
ことを特徴とする付記５に記載の情報出力装置。
【００５７】
（付記７）
前記出力制御手段は、前記特定手段が特定した視聴者人数に基づいて、前記追加出力するコンテンツの出力位置を制御する、
ことを特徴とする付記６に記載の情報出力装置。
【００５８】
（付記８）
端末と通信する通信ステップと、
前記通信ステップにおける通信中の端末の台数に基づいて、出力手段に出力するコンテンツを決定するコンテンツ決定ステップと、
を含む情報出力方法。
【００５９】
（付記９）
コンピュータを
端末と通信する通信手段、
前記通信手段が通信中の端末の台数に基づいて、出力手段に出力するコンテンツを決定する出力制御手段、
として機能させるためのプログラム。
【符号の説明】
【００６０】
１００…情報出力装置、１０１…情報出力装置、１１０…無線通信部、１２０…記憶部、１３０ａ…第１の出力部、１３０ｂ…第２の出力部、１３０ｃ…第３の出力部、１４０…制御部、１４１…特定部、１４２…取得部、１４３…出力制御部、１４４…グループ人数特定部、１５０…アンテナ部、２００…視聴者端末
【図１】
2016178400.tif 000003
【図２】
2016178400.tif 000004
【図３】
2016178400.tif 000005
【図４】
2016178400.tif 000006
【図５】
2016178400.tif 000007
【図６】
2016178400.tif 000008
【図７】
2016178400.tif 000009
【図８】
2016178400.tif 000010
【図９】
2016178400.tif 000011
【図１０】
2016178400.tif 000012